(57)【要約】      （修正有）【課題】把持部が意図せずに開放されるのを防ぎ、キャップを解放するとき又は締め付けるときに、より把持し易いコンパクト工具のタンクのための封止装置を提供する。【解決手段】長手方向軸線を画成し、本体部２０と枢動部材６とを具備し、突出ポジションにおいて、把持部が本体部の外方に延出し、それによって封止装置を緩めること及び締め付けることを補助する封止装置２において、枢動部材が、保持部材によって突出ポジションで拘束可能であり、保持部材の第１部分が枢動部材に固定され且つ保持部材の第２部分が本体部に固定されており、封止装置が付勢部材１１を具備し、閾値ポジションが枢動部材の格納ポジションと突出ポジションとの間に構成され、枢動部材が閾値ポジションと突出ポジションとの間の位置にあるとき、弾性部材である保持部材が突出ポジションへと枢動部材を付勢する。【選択図】図３
0003209567.tif 000002
【実用新案登録請求の範囲】
【請求項１】
コンパクト動力工具内（１）のタンクの補給開口部を封止するための封止装置（２）であって、該封止装置が、
長手方向軸線（Ｙ）を画成し、前記補給開口部と係合するための本体部（２０）と、
格納ポジション及び突出ポジション間の移動のため枢動軸線（ＸＸ’）周りで枢動可能で、且つ、枢動可能に前記本体部（２０）に接続され、把持部（３）を有する枢動部材（６）と、を具備し、前記突出ポジションにおいて、前記把持部（３）が、把持可能となるために前記本体部（２０）の外方に延出し、それによって封止装置（２）を緩めること及び締め付けることを補助し、前記枢動部材が、前記把持部（３）との関係において前記枢動軸線の反対側に配置されたカウンター部（８）を有し、且つ、前記本体部は、前記枢動部材が前記格納ポジションから前記突出ポジションへと移動するときに前記カウンター部を受容するための凹部を有し、
更に封止装置（２）が、前記枢動部材（６）を前記格納ポジションへと付勢するために構成された付勢部材（１１）を具備する封止装置（２）において、
前記枢動部材（６）が、保持部材（１３、１４；１７、１８、１９）によって前記突出ポジションで拘束可能であることを特徴とする封止装置（２）。
【請求項２】
前記保持部材の第１の部分（１３；１８、１９）が前記枢動部材（６）に固定され、且つ、前記保持部材の第２の部分（１４、１７）が前記本体部（２０）に固定された、請求項１に記載の封止装置（２）。
【請求項３】
前記保持部材が、一端（１８，１９）において前記枢動部材（６）に取り付けられ、且つ、他端において前記本体部（２０）に取り付けられた弾性部材（１７）である、請求項１に記載の封止装置（２）。
【請求項４】
前記弾性部材（１７）が、１つの端部（１９）を前記枢動部材（６）に取付けられ、且つ、別の端部を前記本体部（２０）に取付けられたばねである請求項３に記載の封止装置（２）。
【請求項５】
前記弾性部材（１７）が円錐圧縮ばねである請求項３又は請求項４のいずれか１つに記載の封止装置（２）。
【請求項６】
閾値ポジションは、前記枢動部材（６）に対する前記格納ポジションと前記突出ポジションとの間に配置されている、請求項１に記載の封止装置（２）。
【請求項７】
前記付勢部材（１１）が、前記弾性部材（１７）と同一であり、前記枢動部材（６）が、前記閾値ポジションと前記格納ポジションとの間の位置にあるとき、前記弾性部材（１７）が前記格納ポジションへと前記枢動部材（６）を付勢する請求項６に記載の封止装置（２）。
【請求項８】
前記枢動部材（６）が前記格納ポジションから移動するのを補助するために、前記カウンター部（８）が押し下げられるように構成されている請求項１から請求項７のいずれか１つに記載の封止装置（２）。
【請求項９】
前記枢動部材（６）が前記格納ポジションにあるとき、少なくとも一部の前記カウンター部（８）が、前記長手方向軸線（Ｙ）の方向に前記本体部（２０）の包囲する表面を越えて所定距離だけ突出している請求項１から請求項８のいずれか１つに記載の封止装置（２）。
【請求項１０】
前記把持部（３）が、前記枢動軸線（ＸＸ’）から前記枢動軸線（ＸＸ’）に対して垂直に距離Ａ延出しており、且つ、前記カウンター部（８）が、前記枢動軸線（ＸＸ’）から前記枢動軸線（ＸＸ’）に対して垂直に少なくとも０．２５×Ａ延出する、請求項１から請求項９のいずれか１つに記載の封止装置（２）。
【請求項１１】
弾性部材（１７）の第１部分が、枢動可能に前記枢動部材（６）の固定部（１８）に固定されており、該固定部（１８）が、前記枢動部材（６）の前記格納ポジションにおいて前記本体部（２０）の内部へ突出している請求項１から請求項１０のいずれか１つに記載の封止装置（２）。
【請求項１２】
少なくとも一部の前記枢動部材（６）が、前記本体部（２０）の反対側に面した前記枢動部材（６）の表面に表面構造を有し、該表面構造が、溝、凹部又はリブを有する請求項１から請求項１１のいずれか１つに記載の封止装置（２）。
【請求項１３】
前記コンパクト動力工具（１）が、チェーンソー、ヘッジトリマー、グラストリマー、ブロワー及び草刈機のいずれか１つである、請求項１から請求項１２のいずれか１つに記載の封止装置（２）。
【考案の詳細な説明】
【技術分野】
【０００１】
本考案は、燃料タンク又は潤滑油タンクのようなタンクのための封止装置に関する。更に詳細には、携帯可能なコンパクト工具のタンクのための封止装置に関する。
【背景技術】
【０００２】
内燃機関は、制限するものではないが、チェーンソー、ヘッジトリマー、グラストリマー、ブロワー、草刈機等の様々なコンパクト工具で幅広く使用されている。機関駆動のコンパクト工具は、補給開口部を備える燃料タンク又は潤滑油タンクのようなタンクを有する。タンクのねじ加工された給油口のための従来の封止装置は、対応する補給開口部のねじ部と係合可能なねじキャップを有する。ねじ加工されたキャップは、補給開口部にキャップを締め付けることによって、外気に対して補給開口部を堅く封止する。
【０００３】
従来の多くの封止装置は、使用者にとって好ましくない把持部を設けている。更に、キャップが封止ポジションにあるときに外方に突出するキャップ部は、使用者が把持するために使用される。加えて、開放可能な把持部を備えるキャップも、コンパクト工具で使用されている。開放可能な把持部は、キャップを解放するとき又は締め付けるとき、使用者が、より把持し易いように開放される。
【考案の概要】
【考案が解決しようとする課題】
【０００４】
これらのキャップは従来のキャップよりは良いが、開放可能な把持部が意図せずに開放されてしまうという問題に悩まされる。開放可能な把持部が意図せず開放されることは、キャップの破損又はキャップの意図しない解放を生じさせ得る。従って、限定するものではないが、コンパクト工具の燃料タンク又は潤滑油タンクのようなタンクのための封止装置のニーズがある。更に、キャップを解放するとき又は締め付けるときに、使用者が、より把持し易い封止装置のニーズがある。
【課題を解決するための手段】
【０００５】
上述の点を考慮し、上で説明した問題を解決又は少なくとも低減することが目的となる。特に、コンパクト動力工具の燃料タンク又は潤滑油タンクのようなタンクの補給開口部を封止するための手段を提供することが目的となる。封止手段は、使用者が握り易いように開放されてもよい。
【０００６】
この目的は、請求項１に記載のコンパクト動力工具における、タンクの補給開口部を封止するための封止装置によって実現することができる。封止装置は、本体部と枢動部材とを有する。本体部は、補給開口部と係合するために構成されてもよい。本体部は、長手方向軸線も画成する。枢動部材は、格納ポジションと突出ポジションとの間の移動のため枢動軸線周りで枢動可能とされてもよく、枢動可能に本体部と接続されてもよい。枢動部材は、突出ポジションにおいて把持可能となるために本体部の外方に延出する把持部を有する。これは、封止装置を緩めるとき又は締め付けるときに使用者を補助する。封止装置は、枢動部材が突出ポジションにおいて保持部材によって拘束可能であり、保持部材の第１部分が枢動部材に固定されており、且つ、保持部材の第２部分が本体部に固定されていることを特徴とする。加えて封止装置は、更に枢動部材を格納ポジションへと付勢するために構成された付勢部材を具備することも特徴とする。
【０００７】
こうした封止装置は、突出している把持部によって、封止装置を締め付けること及び緩めることが容易となる。タンクが開放されるとき又は封止されるとき、彼又は彼女が、例えばグローブを装着している場合であっても、把持部が突出ポジションにおいて拘束され得るため、使用者にとって使用が容易となる。同時に、枢動部材が拘束可能な突出ポジションから解放されるとき、付勢部材は、格納ポジションへと枢動部材を付勢する。それによって、封止装置は、枢動部材が突出ポジションにないとき、平らな外部表面を自動的に提供することができる。更に、動力工具を操作するとき、例えば枝等のような物が枢動部材に引っかかった場合に枝が枢動部材を移動させるとき、枢動部材は再び格納ポジションへと付勢される。そうではなく、枢動部材が、格納ポジションから離れた位置に留まる場合、封止装置が損傷する危険性、又は、意図せずに封止装置が緩まる危険性がある。本体は、補給開口部の対応するねじ部と係合するためのねじ部を有してもよい。更に、本体部及び補給開口部は、別の実施形態において、差し込みカップリング、スナップ手段等のようなねじ以外の他の係合手段を有してもよい。
【０００８】
請求項２によれば、保持部材が、枢動部材に取付けられた第１固定部材と、本体部に取付けられた第２固定部材と、を具備する実施形態が提供されている。第１固定部材及び第２固定部材は、枢動部材が突出ポジションにあるときに互いに係合するために取付けられている。
【０００９】
固定部材は、使用者が枢動部材を突出ポジションへと移動させるときに互いに係合するように構成されてもよい。そのようにして、枢動部材を拘束可能な突出ポジションへと移動させるためにはいくらかのトルクが必要となるため、枢動部材に引っかかり得る枝は、枢動部材を拘束可能な突出ポジションへと移動させることはできない。更に、固定部材は、使用者が封止装置を緩めるとき又は締め付けるときに突出ポジションにある枢動部材のために、強力保持機能を設けてもよい。固定部材を互いに解放するための必要トルク量は、枢動部材を格納ポジションへと付勢する付勢部材によって付与されるトルク量より大きい。
【００１０】
更なる実施形態において、保持部材は弾性部材であってもよい。それによって、部材の弾性は、枢動部材を拘束可能な突出ポジションへ移動させるために必要な力で設定されてもよい。
【００１１】
１つの実施形態において、閾値ポジションは、格納ポジションと突出ポジションとの間の枢動部材、及び、閾値ポジションと突出ポジションとの間の枢動部材の位置のために構成されており、弾性部材は、枢動部材を突出ポジションへと付勢する。
【００１２】
枢動部材を突出ポジションへと付勢することによって、枢動部材を移動させる際、突出ポジションに容易に到達することができる。枢動部材は、使用者が枢動部材を閾値ポジションを通過させて移動させるまで、連続的に枢動部材を突出ポジションへと付勢する弾性部材によって、突出ポジションで保持される。
【００１３】
別の実施形態において、弾性部材は、一方の端部において枢動部材に取付けられ、且つ、他方の端部において本体部に取付けられたばねであってもよい。更に別の実施形態において、弾性部材は、円錐圧縮ばねであってもよい。
【００１４】
弾性部材としてばねを設けることによって、枢動部材が閾値ポジションと突出ポジションとの間の位置にあるとき、ばねは、枢動部材において突出ポジションへの付勢機能を付与することができる。枢動部材が突出ポジションにあるとき、ばねは、ばねの力によって枢動部材を突出ポジションに保持してもよい。
【００１５】
請求項７による実施形態において、付勢部材は弾性部材と同一でもよく、且つ、閾値ポジションと格納ポジションとの間の枢動部材の位置のため、弾性部材は、枢動部材を格納ポジションへと付勢する。
【００１６】
これは、弾性部材が枢動部材及び本体部に取付けられたばねであるときに設けられてもよい。枢動部材が閾値ポジションの一方にあるとき、ばねは、枢動部材を格納ポジションへと付勢する。枢動部材が閾値ポジションの他方にある場合、ばねは、枢動部材を突出ポジションへと付勢し、次いで枢動部材を、封止装置を緩めるとき又は締め付けるときに使用者のために把持を支援する突出ポジションに保持する。封止装置の構造は、同一の部材で枢動部材を格納ポジション及び突出ポジションの両方へ付勢すれば、簡潔且つ費用効率を高くすることができる。閾値ポジションの位置は、ばね及び枢動部材の設計によって設定されてもよい。更に枢動部材を突出ポジションへ又は突出ポジションから移動させるための必要トルクがばねの力によって設定されてもよい。
【００１７】
枢動部材が少なくとも１つのピン周りで又は少なくとも１つのピンと共に枢動可能であってもよく、その、少なくとも１つのピンが本体部に固定されてもよい実施形態が提供されている。この場合において、付勢部材は、枢動部材を付勢し、格納ポジションに戻すため、その少なくとも１つのピンに周設されたねじりばねであってもよい。
【００１８】
保持部材又は弾性部材が、こうした付勢機能を設けていない場合、ねじりばねが、格納ポジションへと向かう枢動部材の付勢機能を設けてもよい。それによって、枢動部材は、意図せずに移動させられたときには常に格納ポジションに戻るように付勢されてもよい。枢動部材を格納ポジションへと戻すように付勢するためにねじりばねによって付与されたトルクは、枢動部材を突出ポジションから移動させるための必要トルクよりも小さい。
【００１９】
更なる実施形態において、枢動部材は、把持部に対して枢動軸線の反対側に配置されたカウンター部を有してもよい。枢動部材が格納ポジションから突出ポジションへと移動させられたときにカウンター部を受容するため、本体部内に凹部が設けられてもよい。
【００２０】
１つの実施形態において、枢動部材を格納ポジションから移動させるのを補助するため、カウンター部が押し下げられるように構成されてもよい。更に、カウンター部の一部は、枢動部材の格納ポジション内の本体部の包囲する表面を越えて所定距離だけ突出してもよい。
【００２１】
それによって、枢動部材は、使用者が、例えばグローブを装着している場合であっても格納ポジションから回転させるのが容易となる。彼又は彼女は、格納ポジションから移動させるために枢動部材の把持部の端部を把持することができないものと想定される。把持部を格納ポジションから持ち上げるためには、カウンター部を押せるだけで十分である。
【００２２】
１つの実施形態において、把持部は、枢動軸線から距離Ａだけ径方向に延出してもよく、且つ、カウンター部は、枢動軸線から少なくとも０．２５Ａ、好適には少なくとも０．３５Ａの距離だけ径方向に延出してもよく、少なくとも０．４５Ａの距離だけ径方向に延出すると更に好ましい。
【００２３】
こうしたカウンター部の延出部によって、カウンター部は、使用者が枢動部材の把持部を持ち上げるためにカウンター部を押す必要がある場合において、小さすぎることはない。カウンター部の延出部が小さすぎる場合、カウンター部の表面領域は、使用者が押すのには小さすぎてしまい、把持部を持ち上げるためカウンター部を押すのに要求される力も、大きすぎてしまう。
【００２４】
更なる実施形態において、枢動部材は、枢動部材の格納ポジションにおいて本体部の内部に突出する固定部を有してもよい。次いで弾性部材は、枢動部材の固定部に固定される。更に弾性部材が枢動可能に固定部に固定されてもよい。
【００２５】
更に、格納ポジションからの枢動部材の移動及び突出ポジションにおける把持部の把持を容易にするため、少なくとも枢動部材の一部は、１つの実施形態において、本体部の反対側に面した枢動部材の表面に表面構造が設けられてもよい。表面構造は、溝、凹部、リブ等であってもよい。
【００２６】
本考案は、以下に、添付の図面を参照して更に詳細に説明される。
【図面の簡単な説明】
【００２７】
【図１】本考案に係る実施形態による、チェーンソーのための封止装置を備えるタンクを示す。
【図２】本考案に係る実施形態による、格納ポジションにある把持部を備えた封止装置の斜視図を示す。
【図３】本考案に係る実施形態による、突出ポジションにある把持部を備えた封止装置の斜視図を示す。
【図４】本考案に係る実施形態による、格納ポジションにある把持部を備えた封止装置の断面図を示す。
【図５】本考案に係る実施形態による、突出ポジションにある把持部を備えた封止装置の断面図を示す。
【図６】本考案に係る実施形態による閾値ポジション近傍にある把持部を備える、封止装置の断面図を示す。
【考案を実施するための形態】
【００２８】
考案の好適な実施形態が示された添付の図面を参照しながら、本考案は、以下に、より詳細に説明される。しかしながら、ここで本考案は、多くの様々な形式で具体化されてもよく、むしろ、これらの実施形態は、この開示を徹底するため、及び、完全なものとするため、且つ、当業者に本考案の範囲を詳細に説明するために示されている。本図面において、同様な番号は、同様な説明を参照する。
【００２９】
図１は、本考案に係る例示的実施形態による、例えば、チェーンソーの操作部１の斜視図を示す。例示的実施形態がチェーンソーと共に使用されることが示されているが、本考案が、任意の適した携帯可能なコンパクト動力工具の類型に組み込まれることができ、チェーンソーのみの使用に制限されず、且つ、様々な類型の実施形態に組み込まれ得ることを理解すべきである。以下で「コンパクト動力工具１」と呼ぶ操作部１は、造園又は林業での用途で使用されてもよい。コンパクト動力工具１は、内燃機関（図示せず）によって駆動されてもよい。更に、内燃機関は、ガソリンエンジンであっても、ディーゼルエンジンであってもよい。本考案に係る実施形態において、タンクは、内燃機関の燃料タンクであってもよい。燃料タンクは、封止装置２の対応するねじ部と係合するためのねじ部を備える補給開口部（図示せず）を有してもよい。封止装置２を補給開口部に締め付けることによって、外気に対してシールされる方法で補給開口部を封止するために封止装置２が使用されてもよい。
【００３０】
図２は、封止装置２の斜視図を示す。封止装置２は、補給開口部の対応するねじ部と係合するためのねじ部４を備える本体部２０を有する。補給開口部は、封止装置２の本体部２０をコンパクト動力工具１の燃料タンクの補給開口部へ締め付けることによって封止されてもよい。封止装置２は、実質的に平らな上面を有する。更に封止装置２は、封止装置２が完全に補給開口部に係合されたときに流体密封シールを画成するスカート部５を有する。図２について説明すれば、枢動部材６は、枢動軸線ＸＸ’を通るピン７周りに枢動可能に画成されている。
【００３１】
枢動部材６は、格納ポジションと、突出ポジションとの間で切り替えるために枢動可能に本体部２０に接続されている。
【００３２】
更に、枢動部材６は、コンパクト動力工具１の使用者に握り易さを提供するための把持部３を有する。把持部３の形状は半円であってもよい。しかしながら、把持部３が任意の適した形状を有し得ることは、当業者にとって明白である。更に、枢動部材６は、把持部３に対して、枢動軸線ＸＸ’の反対側に位置するカウンター部８を有する。カウンター部８は、本体部２０の反対側に面した枢動部材６の表面の溝、リブ又は凹部のような表面構造を有する。図２について説明すると、枢動部材６の格納ポジションにおいて、カウンター部８は、本体部２０の包囲する表面を、本体部２０の長手方向軸線Ｙに沿って長手方向へと越え、距離を隔てて突出する。これは、カウンター部８を押して把持部３を開くのを容易にする。把持部３は、（図４に示すように）枢動軸線ＸＸ’から、距離Ａだけ延出し、且つ、カウンター部８は、枢動軸線ＸＸ’から、距離Ｂだけ延出する。距離Ｂは、枢動軸線ＸＸ’から少なくとも０．２５×Ａの距離である。例として、距離Ａが２ｃｍであれば、距離Ｂは、少なくとも０．５ｃｍである。他の実施形態において、距離Ｂは、枢動軸線ＸＸ’から、少なくとも０．３５×Ａ又は０．４５×Ａの距離であってもよい。その場合、距離Ａが２ｃｍであれば、距離Ｂは、少なくとも０．７ｃｍ又は０．９ｃｍである。好適には、把持部３の延出距離Ａとは無関係に、カウンター部は、枢動軸線ＸＸ’から少なくとも０．５ｃｍ延出する。
【００３３】
凹部１０は、図２に示すように、把持部３の外周に形成される。把持部３は、指先を凹部１０に挿入することによって開かれてもよい。枢動部材６が格納ポジションから移動させるのを補助するため、カウンター部８は、更に封止装置２内へ押し下げられてもよい。例えば使用者がグローブを装着している場合、彼又は彼女は、把持部３を格納ポジションから移動させるため、且つ、把持部３を、凹部１０で握ることができるようにするためにカウンター部８を押圧することができる。
【００３４】
更に、封止装置２は、枢動部材６を突出ポジションで保持する弾性部材を有してもよい。弾性部材は、枢動部材６及び本体部に固定されてもよい。本考案に係る様々な実施形態において、弾性部材はばねであってもよく、好適には、圧縮ばね又は円錐圧縮ばねである。弾性部材は図６を用いて説明される。
【００３５】
図３は、突出ポジションにある把持部３を備えた封止装置２の斜視図を示す。封止装置２は、図３に示すようにピン７を包囲する付勢部材１１を有する。付勢部材１１の第１端部は、把持部３に固定され、付勢部材１１の第２端部１２は、本体部２０に固定されている。付勢部材１１は、枢動部材６が突出ポジションにある限り、枢動部材６を格納ポジションへと付勢する。付勢部材１１は、枢動部材６を付勢して格納ポジションに戻すためにピン７に周設されたねじりばねであってもよい。更に、付勢部材１１は、圧縮ばね又は円錐圧縮ばねであってもよい。本考案に係る実施形態において、弾性部材及び付勢部材１１は、同様な部材であってもよい。
【００３６】
図４は、格納ポジションにある把持部３を備えた封止装置２の断面図を示す。封止装置２は、枢動部材固定ユニット１３及び本体部固定ユニット１４を有する。枢動部材固定ユニット１３は、本体部２０に接続された一又はそれ以上の固定部材を有する枢動部材６及び本体部固定ユニット１４に接続された一又はそれ以上の固定部材を有する。特に、枢動部材固定ユニット１３の固定部材は、突出ポジションにおいて枢動部材６を保持するために本体部固定ユニット１４の対応する部材と係合する。突出ポジションにおいて、枢動部材６の把持部３は、把持可能となるために、本体部２０の外方に延出する。使用者は、把持部を用いて封止装置２を容易に緩めたり、締め付けたりすることができる。
【００３７】
図４について説明すると、カウンター部８は、枢動部材６の格納ポジションにおいて、本体部２０の包囲する表面を、本体部２０の長手方向軸線Ｙに沿って長手方向へと越え、距離を隔てて突出する。カウンター部８が本体部２０を越えて突出しているため、それによって、カウンター部８を押して、把持部３を持ち上げるのが容易となる。封止装置２の本体部２０は、カウンター部８を受容するための凹部１５を有する。特に、枢動部材６のカウンター部８は、枢動部材６が格納ポジションから突出ポジションへと移動するときに、凹部１５内へと移動する。
【００３８】
封止装置２は、シールリング１６も有する。シールリング１６は、弾性ゴム材料で作られてもよく、それは、封止装置がコンパクト動力工具のタンクの開口部に取付けられるときに、例えば燃料の漏れを防ぐ。
【００３９】
図５は、突出ポジションにある把持部３を備えた封止装置２の断面図を示す。突出ポジションにおいて、枢動部材固定ユニット１３の固定部材及び本体部固定ユニット１４の固定部材は、スナップ固定手段を形成する。枢動部材固定ユニット１３の固定部材は、フレキシブル部材であってもよく、且つ、本体部固定ユニット１４の固定部材は、フレキシブル部材を保持するための座部であってもよい。本体部固定ユニット１４の固定部材は、フレキシブル部材であってもよく、枢動部材固定ユニット１３の固定部材は、フレキシブル部材を保持するための座部であってもよい。固定手段を解放するための必要トルクは、付勢部材１１によって付勢されるトルクより大きく、こうして枢動部材６が突出ポジションで保持される。それによって、枢動部材６は、突出ポジションから使用者によって解放されなければならず、自ずから解放されたりはしない。拘束ポジションで係合する固定手段のための必要トルクも、動力工具の操作中に把持手段に引っ掛かり得る枝等によって通常生じ得るトルクより大きい。
【００４０】
図６は、閾値ポジションと格納ポジションとの間に配置された枢動部材６を備える封止装置２の断面図を示す。閾値ポジションは、格納ポジションと、枢動部材６の突出ポジションと、の間に構成されている。弾性部材１７は、枢動部材６を、突出ポジションで保持することができる保持部材でもある。枢動部材６が、閾値ポジションと突出ポジションとの間にあるとき、弾性部材１７は、枢動部材６を、突出ポジションへと付勢させる。こうして、枢動部材６の閾値ポジションから突出ポジションへの小さな回転でさえ、枢動部材６を突出ポジションへと付勢させる。同様に、枢動部材６が閾値ポジションを通過して、格納ポジションへと移動させられるとき、弾性部材１７は、枢動部材６を格納ポジションへと付勢する。それによって、付勢部材１１の機能は、弾性部材１７に組み込まれる。
【００４１】
弾性部材１７は、ばねであってもよく、好適には、圧縮ばね又は円錐圧縮ばねである。ばね１７の第１部分は、本体部２０の凹部１５の底部に固定される。ばね１７の第２部は、図６に示すように枢動可能に枢動部材６の固定部１８に固定される。固定部１８は、枢動部材６の格納ポジションにおいて、本体部２０の内部に突出する。ばね１７と固定部１８との間の接続点に、ばね１７が枢動可能に固定部１８に固定されている固定軸線１９がある。固定軸線１９は、枢動部材６がその周りで回転する可枢動ピンと平行である。枢動部材６が、閾値ポジションと格納ポジションとの間の位置にあるとき、ばね１７は、固定部１８とカウンター部８とを、可枢動ピン７の上方へ、同じ側に、図中の右へと押し、こうして枢動部材６が格納ポジションへと押される。
【００４２】
その周りを枢動部材が回転する可枢動ピン７と固定軸線１９とが、ばね１７の長手方向中心と、同一線上にあるとき、枢動部材６は、閾値ポジションにある。閾値ポジションと突出ポジションとの間の枢動部材の位置において、ばねは、固定部１８及び固定軸線１９を一方へ、図中の可枢動ピン７の左に上方へと押す。カウンター部８は、それから可枢動ピン７の右側の反対側の、下方に、本体部２０の凹部１５内へ押圧される。これは、固定部１８によって画成されたカウンター部８と固定軸線１９との間の距離によるものである。それによって、把持部３は、本体部２０から突出しており、ばね１７によってその位置で保持されている。枢動部材を、閾値ポジションを経て突出ポジションへと移動させるための必要トルクは、ばね１７のばねの力によって設定される。更に、格納ポジションと突出ポジションとの間の閾値ポジションの位置が、ばね１７と固定部１８との構成によって設定されてもよい。
【００４３】
図及び明細書において、本考案の好適な実施形態及び例が開示され、特定の用語が採用されてきたが、それらは、一般的且つ記述的意味のみで使用されており、限定するためではなく、本考案の範囲は以下の実用新案登録請求の範囲において説明される。
【符号の説明】
【００４４】
２    封止装置
３    把持部
６    枢動部材
７    ピン
８    カウンター部
１３    保持部材
１４    保持部材
１５    凹部
１６    シールリング
１７    弾性部材
１８    固定部材
１９    固定軸線
２０    本体部
Ｙ    長手方向軸線
【図１】
0003209567.tif 000003
【図２】
0003209567.tif 000004
【図３】
0003209567.tif 000005
【図４】
0003209567.tif 000006
【図５】
0003209567.tif 000007
【図６】
0003209567.tif 000008
【手続補正書】
【提出日】平成29年1月30日(2017.1.30)
【手続補正２】
【補正対象書類名】実用新案登録請求の範囲
【補正対象項目名】全文
【補正方法】変更
【補正の内容】
【実用新案登録請求の範囲】
【請求項１】
コンパクト動力工具内（１）のタンクの補給開口部を封止するための封止装置（２）であって、該封止装置が、
長手方向軸線（Ｙ）を画成し、前記補給開口部と係合するための本体部（２０）と、
格納ポジション及び突出ポジション間の移動のため枢動軸線（ＸＸ’）周りで枢動可能で、且つ、枢動可能に前記本体部（２０）に接続され、把持部（３）を有する枢動部材（６）と、を具備し、前記突出ポジションにおいて、前記把持部（３）が、把持可能となるために前記本体部（２０）の外方に延出し、それによって封止装置（２）を緩めること及び締め付けることを補助し、前記枢動部材が、前記把持部（３）との関係において前記枢動軸線の反対側に配置されたカウンター部（８）を有し、且つ、前記本体部は、前記枢動部材が前記格納ポジションから前記突出ポジションへと移動するときに前記カウンター部を受容するための凹部を有し、
更に封止装置（２）が、前記枢動部材（６）を前記格納ポジションへと付勢するために構成された付勢部材（１１）を具備する封止装置（２）において、
前記枢動部材（６）が、保持部材（１３、１４；１７、１８、１９）によって前記突出ポジションで拘束可能であることを特徴とする封止装置（２）。
【請求項２】
前記保持部材の第１の部分（１３；１８、１９）が前記枢動部材（６）に固定され、且つ、前記保持部材の第２の部分（１４、１７）が前記本体部（２０）に固定された、請求項１に記載の封止装置（２）。
【請求項３】
前記保持部材が、一端（１８，１９）において前記枢動部材（６）に取り付けられ、且つ、他端において前記本体部（２０）に取り付けられた弾性部材（１７）である、請求項１に記載の封止装置（２）。
【請求項４】
前記弾性部材（１７）が、１つの端部（１９）を前記枢動部材（６）に取付けられ、且つ、別の端部を前記本体部（２０）に取付けられたばねである請求項３に記載の封止装置（２）。
【請求項５】
前記弾性部材（１７）が円錐圧縮ばねである請求項３又は請求項４のいずれか１つに記載の封止装置（２）。
【請求項６】
閾値ポジションは、前記枢動部材（６）に対する前記格納ポジションと前記突出ポジションとの間に配置されている、請求項３から請求項５のいずれか１つに記載の封止装置（２）。
【請求項７】
前記付勢部材（１１）が、前記弾性部材（１７）と同一であり、前記枢動部材（６）が、前記閾値ポジションと前記格納ポジションとの間の位置にあるとき、前記弾性部材（１７）が前記格納ポジションへと前記枢動部材（６）を付勢する請求項６に記載の封止装置（２）。
【請求項８】
前記枢動部材（６）が前記格納ポジションから移動するのを補助するために、前記カウンター部（８）が押し下げられるように構成されている請求項１から請求項７のいずれか１つに記載の封止装置（２）。
【請求項９】
前記枢動部材（６）が前記格納ポジションにあるとき、少なくとも一部の前記カウンター部（８）が、前記長手方向軸線（Ｙ）の方向に前記本体部（２０）の包囲する表面を越えて所定距離だけ突出している請求項１から請求項８のいずれか１つに記載の封止装置（２）。
【請求項１０】
前記把持部（３）が、前記枢動軸線（ＸＸ’）から前記枢動軸線（ＸＸ’）に対して垂直に距離Ａ延出しており、且つ、前記カウンター部（８）が、前記枢動軸線（ＸＸ’）から前記枢動軸線（ＸＸ’）に対して垂直に少なくとも０．２５×Ａ延出する、請求項１から請求項９のいずれか１つに記載の封止装置（２）。
【請求項１１】
前記付勢部材（１１）が、弾性部材（１７）と同一であり、弾性部材（１７）の第１部分が、枢動可能に前記枢動部材（６）の固定部（１８）に固定されており、該固定部（１８）が、前記枢動部材（６）の前記格納ポジションにおいて前記本体部（２０）の内部へ突出している請求項１から請求項１０のいずれか１つに記載の封止装置（２）。
【請求項１２】
少なくとも一部の前記枢動部材（６）が、前記本体部（２０）の反対側に面した前記枢動部材（６）の表面に表面構造を有し、該表面構造が、溝、凹部又はリブを有する請求項１から請求項１１のいずれか１つに記載の封止装置（２）。
【請求項１３】
前記コンパクト動力工具（１）が、チェーンソー、ヘッジトリマー、グラストリマー、ブロワー及び草刈機のいずれか１つである、請求項１から請求項１２のいずれか１つに記載の封止装置（２）。